(57)【要約】【課題】収納したい収納物の形状が変わっても、使用者にとって煩わしいものとなることがなく、この収納物を安定して収納できる収納装置を提供することである。【解決手段】自動車の内装部材に取り付けられる収納装置３は、隣り合うように形成された一対の収納部２０と、一対の収納部２０を跨ぐように形成された中間部３０とを有するリテーナ１０と、中間部３０を塞ぐようにリテーナ１０に組み付けられたサポート６０とを備えている。サポート６０は、一対の収納部２０の収納領域が変化するようにリテーナ１０に対して回動可能に組み付けられている。【選択図】図３
2019182055.tif 000002
【特許請求の範囲】
【請求項１】
自動車の内装部材に取り付けられる収納装置であって、
隣り合うように形成された一対の収納部と、前記一対の収納部を跨ぐように形成された中間部と、を有するリテーナと、
前記中間部を塞ぐようにリテーナに組み付けられたサポートと、を備えており、
前記サポートは、前記一対の収納部の収納領域が変化するように前記リテーナに対して回動可能に組み付けられている収納装置。
【請求項２】
請求項１に記載の収納装置であって、
前記サポートは、環状に形成されている収納装置。
【請求項３】
請求項１〜２のいずれかに記載の収納装置であって、
前記リテーナに対する前記サポートの回動は、所定の間隔で節度感を有するものとなっている収納装置。
【請求項４】
請求項１〜３のいずれかに記載の収納装置であって、
前記リテーナに対する前記サポートの回動軸は、前記サポートに形成されている収納装置。
【発明の詳細な説明】
【技術分野】
【０００１】
本発明は、収納装置に関し、詳しくは、自動車の内装部材に取り付けられる収納装置に関する。
【背景技術】
【０００２】
従来、自動車の運転席と助手席との間には、内装部材としてコンソールボックスが設けられている。このようなコンソールボックスの前端には、例えば、ドリンク容器を収納可能なカップホルダが設けられている。ここで、下記特許文献１には、サポート部材を収納したいドリンク容器の形状（例えば、大径のドリンク容器、小径のドリンク容器、取手付きのドリンク容器等）に対応したものに取り換えることで、様々な形状のドリンク容器を収納可能なカップホルダが開示されている。これにより、形状が異なるドリンク容器であっても安定して収納できる。
【先行技術文献】
【特許文献】
【０００３】
【特許文献１】特開２０１１−２０６３２号公報
【発明の概要】
【発明が解決しようとする課題】
【０００４】
しかしながら、上述した従来技術では、サポート部材を取り換えなければ、様々な形状のドリンク容器を安定して収納できなかった。そのため、収納したいドリンク容器の形状が変わる毎に、サポート部材を取り換えなければいけなかった。したがって、使用者にとって煩わしいものとなっていた。
【０００５】
本発明は、このような課題を解決しようとするもので、その目的は、収納したい収納物の形状が変わっても、使用者にとって煩わしいものとなることがなく、この収納物を安定して収納できる収納装置を提供することである。
【課題を解決するための手段】
【０００６】
本発明は、上記の目的を達成するためのものであって、以下のように構成されている。
請求項１に記載の発明は、自動車の内装部材に取り付けられる収納装置であって、隣り合うように形成された一対の収納部と、一対の収納部を跨ぐように形成された中間部とを有するリテーナと、中間部を塞ぐようにリテーナに組み付けられたサポートとを備えている。サポートは、一対の収納部の収納領域が変化するようにリテーナに対して回動可能に組み付けられている。
【０００７】
請求項１の発明によれば、リテーナに対してサポートを回動させると、一対の収納部に連なる格好で中間部の収納領域を広く確保できたり狭く確保できる。例えば、サポートを縦向き状態にすると、一対の収納部に、例えば、大きな収納物（大径のドリンク容器）を安定して収納できる。また、サポートを横向き状態にすると、一対の収納部に、例えば、小さな収納物（小径のドリンク容器）を安定して収納できる。したがって、収納したい収納物（ドリンク容器）の形状が変わっても、使用者にとって煩わしいものとなることがなく、これら収納物を安定して収納できる。
【０００８】
また、請求項２に記載の発明は、請求項１に記載の収納装置であって、サポートは、環状に形成されている。
【０００９】
請求項２の発明によれば、サポートの環状の内部にも収納物を安定して収納できる。
【００１０】
また、請求項３に記載の発明は、請求項１〜２のいずれかに記載の収納装置であって、リテーナに対するサポートの回動は、所定の間隔で節度感を有するものとなっている。
【００１１】
請求項３の発明によれば、サポートを回動させるとき、この回動の微調整等を不要にできる。
【００１２】
また、請求項４に記載の発明は、請求項１〜３のいずれかに記載の収納装置であって、リテーナに対するサポートの回動軸は、サポートに形成されている。
【００１３】
請求項４の発明によれば、サポートを取り外したときのリテーナの見栄えの悪化を防止できる。
【図面の簡単な説明】
【００１４】
【図１】図１は、実施形態に係るカップホルダを自動車のコンソールボックスに適用した斜視図である。
【図２】図２は、図１のカップホルダの全体斜視図である。
【図３】図３は、図２の分解図である。
【図４】図４は、図３を後ろ側から見た斜視図である。
【図５】図５は、図２のカップホルダにおいて、第１ドリンク容器を２本収納した状態を示す図である。
【図６】図６は、図２のカップホルダにおいて、第２ドリンク容器を収納可能な状態を示す図である。
【図７】図７は、図６のカップホルダにおいて、第２ドリンク容器を３本収納した状態を示す図である。
【図８】図８は、図２のカップホルダにおいて、第３ドリンク容器を収納可能な状態を示す図である。
【図９】図９は、図８のカップホルダにおいて、第３ドリンク容器を収納した状態を示す図である。
【図１０】図１０は、図２のカップホルダにおいて、サポートを取り外した状態を示す図である。
【発明を実施するための形態】
【００１５】
以下、本発明を実施するための形態を、図１〜１０を用いて説明する。まず、図１〜４を参照して、本発明の実施形態に係るカップホルダ３の構成を説明する。なお、以下の説明にあたって、『自動車の内装部材』、『収納装置』の例として、『自動車１のコンソールボックス２』、『カップホルダ３』を説明することとする。また、以下の説明にあたって、上、下、前、後、左、右とは、上述した図に記載した、上、下、前、後、左、右の方向、すなわち、自動車１に設けられているコンソールボックス２の向きを基準にしたときの上、下、前、後、左、右の方向を示している。
【００１６】
図１に示すように、自動車１の運転席と助手席（いずれも図示しない）との間には、内装部材としての小物入れを有するコンソールボックス２が設けられている。このコンソールボックス２の前端には、各種のドリンク容器８０、８１、８２（第１ドリンク容器８０、第２ドリンク容器８１、第３ドリンク容器８２）を収納可能なカップホルダ３が設けられている。この第１ドリンク容器８０とは、外径の大きなドリンク容器のことである。また、この第２ドリンク容器８１とは、外径の小さなドリンク容器のことである。また、この第３ドリンク容器８２とは、取手８２ａの付いたドリンク容器のことである。
【００１７】
ここで、このカップホルダ３について詳述すると、このカップホルダ３は、主として、リテーナ１０と、サポート６０と、ブロック７０とから構成されている（図２〜４参照）。以下に、このリテーナ１０と、サポート６０と、ブロック７０とを個別に説明する。
【００１８】
まず、リテーナ１０から説明する。リテーナ１０は、隣り合うように形成された左右に対を成す収納部２０と、この左右に対を成す収納部２０を跨ぐように形成された中間部３０とから構成されている。この収納部２０は、各種のドリンク容器８０、８１、８２の底面（図示しない）を保持可能な底壁２１を有する略円筒形を成している。また、この中間部３０も、第２ドリンク容器８１の底面を保持可能な底壁３１を有しており収納部２０より小径の略円筒形を成している。
【００１９】
この中間部３０を形成する前側壁３２には、丸孔３２ａが形成されている。この前側壁３２の丸孔３２ａには、前側壁３２の外面３２ｂから位置合わせ板４０の丸軸４１が回動可能に挿し込まれている。この位置合わせ板４０の丸軸４１には、四角穴４１ａが形成されている。また、この位置合わせ板４０の表面４２には、８個の凹穴４３（第１凹穴４３ａ、第２凹穴４３ｂ、第３凹穴４３ｃ、・・・、第８凹穴４３ｈ）が周方向に均等に（４５°間隔で）形成されている。
【００２０】
詳しくは、この第１凹穴４３ａは、位置合わせ板４０の表面４２において、時計の短針が１２時を指す位置に形成されている。また、この第２凹穴４３ｂは、位置合わせ板４０の表面４２において、時計の短針が１時半を指す位置に形成されている。また、この第３凹穴４３ｃは、位置合わせ板４０の表面４２において、時計の短針が３時を指す位置に形成されている。また、この第４凹穴４３ｄは、位置合わせ板４０の表面４２において、時計の短針が４時半を指す位置に形成されている。
【００２１】
また、この第５凹穴４３ｅは、位置合わせ板４０の表面４２において、時計の短針が６時を指す位置に形成されている。また、この第６凹穴４３ｆは、位置合わせ板４０の表面４２において、時計の短針が７時半を指す位置に形成されている。また、この第７凹穴４３ｇは、位置合わせ板４０の表面４２において、時計の短針が９時を指す位置に形成されている。また、この第８凹穴４３ｈは、位置合わせ板４０の表面４２において、時計の短針が１０時半を指す位置に形成されている。
【００２２】
また、この前側壁３２の外面３２ｂには、位置合わせ板４０を覆うようにカバー５０が３本のビス５１を介して組み付けられている。このカバー５０の内面５２には、上下に対を成すプランジャ５３が組み付けられている。このプランジャ５３は、公知のものであり、カバー５０の内面５２に組み付けられるプランジャ本体５３ａと、このプランジャ本体５３ａに対して圧縮ばね（図示しない）を介して進退可能な球体５３ｂとから構成されている。
【００２３】
このプランジャ５３の球体５３ｂは、位置合わせ板４０の凹穴４３に嵌り込み可能に形成されている。一方、この中間部３０を形成する後側壁３３には、凹み３４が形成されている。この凹み３４の凹壁３５には、上下一対のガイド孔３５ａが形成されている。また、この凹み３４の左右の側壁３６には、スライド溝３６ａがそれぞれ形成されている。リテーナ１０は、このように構成されている。
【００２４】
次に、サポート６０を説明する。サポート６０は、挿込部６１を有する円環状（短い円筒形）の部材から構成されている。このサポート６０の挿込部６１の両縁には、切欠６１ａが対向するように形成されている。すなわち、サポート６０には、４個所の切欠６１ａが形成されている。また、このサポート６０の前側には、リテーナ１０に組み付けられた位置合わせ板４０の四角穴４１ａに嵌め込み可能な四角軸６２が形成されている。一方、このサポート６０の後側には、丸軸６３が形成されている。サポート６０は、このように構成されている。
【００２５】
次に、ブロック７０を説明する。ブロック７０は、サポート６０の環状の縁に沿う格好を成すように円弧面を有する突出壁７１と、この突出壁７１の上下左右の四辺と連なる上下左右の側壁７２とから構成されている。この突出壁７１には、サポート６０の丸軸６３を回転可能に挿し込み可能な丸穴７１ａが形成されている。この突出壁７１の内面７１ｂには、上下に対を成すガイドピン７１ｃが形成されている。
【００２６】
このガイドピン７１ｃは、リテーナ１０の凹壁３５の上下のガイド孔３５ａにガイドされるように形成されている。また、この突出壁７１の内面７１ｂには、後述する圧縮ばね７３の一端を挿し込み可能な留めピン７１ｄが形成されている。また、この左右の側壁７２には、撓み片７２ａが形成されている。この撓み片７２ａには、リテーナ１０の左右の側壁３６のスライド溝３６ａを摺動可能な係合爪７２ｂが形成されている。ブロック７０は、このように構成されている。
【００２７】
次に、これらリテーナ１０と、サポート６０と、ブロック７０とからカップホルダ３を組み立てる手順の一例を説明する。まず、ブロック７０の留めピン７１ｄに圧縮ばね７３の一端を挿し込む作業を行う。次に、留めピン７１ｄに圧縮ばね７３の一端を挿し込んだ状態のブロック７０をリテーナ１０の凹み３４に組み付ける作業を行う。このとき、リテーナ１０の凹壁３５の上下のガイド孔３５ａにブロック７０の上下のガイドピン７１ｃを入れ込む作業を行う。
【００２８】
これにより、組み付けたブロック７０がリテーナ１０の凹み３４をスムーズに進退できる。また、このとき、リテーナ１０の左右の側壁３６に対してブロック７０の左右の側壁７２の撓み片７２ａを撓ませて、この撓ませた撓み片７２ａの係合爪７２ｂを左右の側壁３６のスライド溝３６ａに入れ込む作業を行う。これにより、組み付けたブロック７０が凹み３４から抜け出すことを防止できる。
【００２９】
次に、圧縮ばね７３の付勢力に抗してブロック７０を退行させる作業を行う。次に、対向させた状態のブロック７０の丸穴７１ａとリテーナ１０に組み付けられた位置合わせ板４０の四角穴４１ａとに対してサポート６０の丸軸６３と四角軸６２とを挿し込む作業を行う。これにより、リテーナ１０に対してサポート６０を回動させると、この回動とともに位置合わせ板４０も回動させることができる。このようにしてカップホルダ３は組み立てられる。
【００３０】
このように組み立てられたカップホルダ３は、図２〜３に示すように、サポート６０の挿込部６１の軸芯Ａが左右方向を向いた状態（サポート６０が縦向き状態）において、上側のプランジャ５３の球体５３ｂは、位置合わせ板４０の第１凹穴４３ａに嵌り込んだ状態となっており、下側のプランジャ５３の球体５３ｂは、位置合わせ板４０の第５凹穴４３ｅに嵌り込んだ状態となっている。
【００３１】
このような嵌り込んだ状態となっていると、リテーナ１０に対する位置合わせ板４０の回動位置を保持できる。すなわち、リテーナ１０に対するサポート６０の回動位置を保持できる。なお、サポート６０は、既に説明したように、円環状の部材から構成されている。そのため、このサポート６０を回動させると、左右の収納部２０に連なる格好で中間部３０の収納領域を広く確保できたり狭く確保できる。
【００３２】
また、この図２に示す状態から、サポート６０を右に４５°回動させると、上側のプランジャ５３の球体５３ｂは、位置合わせ板４０の表面４２を乗り越えて第２凹穴４３ｂに嵌り込んだ状態となり、下側のプランジャ５３の球体５３ｂは、位置合わせ板４０の表面４２を乗り越えて第６凹穴４３ｆに嵌り込んだ状態となる。以降、サポート６０を４５°回動させる毎に、上下のプランジャ５３の各球体５３ｂは、位置合わせ板４０の表面４２を乗り越えて隣の凹穴４３に嵌り込んだ状態となる。このように嵌り込んだ状態となると、サポート６０を回動させるとき、４５°間隔で節度感を得ることができる。
【００３３】
続いて、図２、５〜１０を参照して、上述したように組み立てられたカップホルダ３の動作を説明する。図２に示す状態では、サポート６０の挿込部６１の軸芯Ａは、左右方向を向いた状態となっている。すなわち、サポート６０が縦向き状態となっている。この図２に示す状態では、左右の収納部２０に連なる格好で中間部３０の収納領域を広く確保できる。したがって、この左右の収納部２０の収納領域が広がる格好となるため、この左右の収納部２０に第１ドリンク容器８０を安定して収納できる（図５参照）。
【００３４】
この図２に示す状態から、サポート６０を右に９０°回動させると、上側のプランジャ５３の球体５３ｂは、位置合わせ板４０の表面４２を乗り越えて第３凹穴４３ｃに嵌り込んだ状態となり、下側のプランジャ５３の球体５３ｂは、位置合わせ板４０の表面４２を乗り越えて第７凹穴４３ｇに嵌り込んだ状態となる（図６参照）。
【００３５】
この図６に示す状態では、サポート６０の挿込部６１の軸芯Ａは、上下方向を向いた状態となっている。すなわち、サポート６０が横向き状態となっている。この図６に示す状態では、左右の収納部２０に連なる格好で中間部３０の収納領域を狭く確保できる。したがって、この左右の収納部２０の収納領域が狭まる格好となるため、この左右の収納部２０に第２ドリンク容器８１を安定して収納できる（図７参照）。このとき、図７からも明らかなように、サポート６０の挿込部６１にも第２ドリンク容器８１を安定して収納できる。
【００３６】
また、この図６に示す状態から、サポート６０を右に４５°回動させると、上側のプランジャ５３の球体５３ｂは、位置合わせ板４０の表面４２を乗り越えて第４凹穴４３ｄに嵌り込んだ状態となり、下側のプランジャ５３の球体５３ｂは、位置合わせ板４０の表面４２を乗り越えて第８凹穴４３ｈに嵌り込んだ状態となる（図８参照）。
【００３７】
この図８に示す状態では、サポート６０の挿込部６１の軸芯Ａは、斜め４５°を向いた状態となっている。すなわち、サポート６０が斜め向き状態となっている。この図８に示す状態では、左の収納部２０に連なる格好で中間部３０の収納領域を広く確保できる。したがって、この左の収納部２０の収納領域が広がる格好となるため、この中間部３０に取手８２ａを逃がした状態で左の収納部２０に第３ドリンク容器８２を収納できる（図９参照）。
【００３８】
また、この図８に示す状態から、サポート６０を取り外すことができる。このように取り外すと、左右の収納部２０に連なる格好で中間部３０の収納領域をより広く確保できる。したがって、この左右の収納部２０の収納領域がより広がる格好となるため、この中間部３０にも小物を入れることができる（図１０参照）。
【００３９】
本発明の実施形態に係るカップホルダ３は、このように構成されている。この構成によれば、リテーナ１０に対してサポート６０を回動させることができる。そして、リテーナ１０に対してサポート６０を回動させると、左右の収納部２０に連なる格好で中間部３０の収納領域を広く確保できたり狭く確保できる。例えば、サポート６０を縦向き状態にすると、左右の収納部２０に第１ドリンク容器８０を安定して収納できる。また、サポート６０を横向き状態にすると、左右の収納部２０に第２ドリンク容器８１を安定して収納できる。したがって、収納したいドリンク容器８０、８１の形状が変わっても（収納したいドリンク容器８０、８１の外径が大きくても小さくても）、使用者にとって煩わしいものとなることがなく、これらドリンク容器８０、８１を安定して収納できる。
【００４０】
また、この構成によれば、サポート６０は、挿込部６１を有する円環状（短い円筒形）の部材から構成されている。そのため、サポート６０の挿込部６１にも第２ドリンク容器８１を安定して収納できる。
【００４１】
また、この構成によれば、サポート６０を回動させるとき、４５°間隔で節度感を得ることができる構成となっている。そのため、サポート６０を回動させるとき、この回動の微調整等を不要にできる。
【００４２】
また、この構成によれば、サポート６０の前側には、リテーナ１０に組み付けられた位置合わせ板４０の四角穴４１ａに嵌め込み可能な四角軸６２が形成されている。また、このサポート６０の後側には、丸軸６３が形成されている。そのため、サポート６０を取り外したときのリテーナ１０の見栄えの悪化を防止できる。
【００４３】
上述した内容は、あくまでも本発明の一実施の形態に関するものであって、本発明が上記内容に限定されることを意味するものではない。
【００４４】
実施形態では、『内装部材』の例として、『コンソールボックス２』を説明した。しかし、これに限定されるものでなく、『インストルメントパネル』、『センタークラスター』、『トリム』、『アームレスト』等、各種の内装部材であっても構わない。また、実施形態では、『収納装置』の例として、『カップホルダ３』を説明した。しかし、これに限定されるものでなく、『小物入れ』等、各種の収納装置であっても構わない。
【００４５】
また、実施形態では、『所定の間隔』の例として、『４５°間隔』を説明した。しかし、これに限定されるものでなく、『３０°間隔』、『９０°間隔』等、何度間隔であっても構わない。
【符号の説明】
【００４６】
１      自動車
２      コンソールボックス（内装部材）
３      カップホルダ（収納装置）
１０    リテーナ
２０    収納部
３０    中間部
６０    サポート
【図１】
2019182055.tif 000003
【図２】
2019182055.tif 000004
【図３】
2019182055.tif 000005
【図４】
2019182055.tif 000006
【図５】
2019182055.tif 000007
【図６】
2019182055.tif 000008
【図７】
2019182055.tif 000009
【図８】
2019182055.tif 000010
【図９】
2019182055.tif 000011
【図１０】
2019182055.tif 000012